(57)【要約】【課題】  光路開口の開放側と最小絞り側との間を一定の負荷トルクによって複数の絞り羽根を摺動させることによって、一連の絞り操作を円滑且つ精度よく行うことのできる光量調整装置を提供することである。【解決手段】  中央部に光路開口を有するリング形状のベース部材１８と、該ベース部材１８に対向して設けられる開閉ガイドプレート１４と、前記ベース部材１８と開閉ガイドプレート１４との間に設けられる摺動空間Ｓで互いに重なり合いながら円周方向に摺動し、前記光路開口を開閉する複数の絞り羽根１５とを備えた光量調整装置において、前記複数の絞り羽根１５の摺動に連動して、前記ベース部材１８と開閉ガイドプレート１４との間の摺動空間Ｓの間隔を変更するカム面３３及びカム受部３４からなる間隔変更手段を設けた。【選択図】      図７
2017120347.tif 000002
【特許請求の範囲】
【請求項１】
中央部に光路開口を有するリング形状のベース部材と、
該ベース部材に対向して設けられるガイド部材と、
前記ベース部材とガイド部材との間に設けられる摺動空間で互いに重なり合いながら円周方向に摺動し、前記光路開口を開閉する複数の絞り羽根とを備えた光量調整装置において、
前記複数の絞り羽根の摺動に連動して、前記ベース部材とガイド部材との間の摺動空間の間隔を変更する間隔変更手段を設けたことを特徴とする光量調整装置。
【請求項２】
前記間隔変更手段が前記ベース部材及びガイド部材のいずれか一方に設けられたカム面と、このカム面上を移動しながら前記摺動空間の間隔を変更するカム受部とを備える請求項１に記載の光量調整装置。
【請求項３】
前記ベース部材又はガイド部材の内側面に前記カム面が設けられ、このカム面と前記ベース部材とガイド部材との間に設けられる摺動空間との間に前記カム受部が設けられる請求項２に記載の光量調整装置。
【請求項４】
前記光路開口を開閉する複数の絞り羽根を駆動する開閉駆動プレートと、この開閉駆動プレートと一体的に形成され前記開閉駆動プレートの回転に伴って前記カム面上を摺動する突起とを備えて前記カム受部が形成される請求項１乃至３のいずれかに記載の光量調整装置。
【請求項５】
前記カム面が前記ベース部材及びガイド部材のいずれか一方の部材の外側面に設けられ、
前記カム受部が前記カム面上を摺動する突起と、この突起と一体的に形成され前記ベース部材及びガイド部材の他方の部材とを備える請求項２に記載の光量調整装置。
【請求項６】
前記カム面が前記光路開口の全開放位置と最小絞り位置との間を摺動する前記複数の絞り羽根の開閉範囲に対応している請求項２乃至５のいずれかに記載の光量調整装置。
【請求項７】
前記カム面が平坦面とこの平坦面から突出する凸状部とを備え、
凸状部が平坦な頂上面と、この頂上面の左右両端から前記平坦面に向かって斜めに延びる第１傾斜面及び第２傾斜面とで略台形状に形成されている請求項２乃至６のいずれかに記載の光量調整装置。
【請求項８】
前記第１傾斜面が前記光路開口の全開放位置から半絞り位置に移行する間を摺動する前記絞り羽根の開閉範囲に対応し、前記頂上面が前記光路開口の半絞り位置で摺動する前記絞り羽根の開閉範囲に対応し、前記第２傾斜面が前記光路開口の半絞り位置から最小絞り位置に移行する間を摺動する前記絞り羽根の開閉範囲に対応している請求項７に記載の光量調整装置。
【発明の詳細な説明】
【技術分野】
【０００１】
本発明は、ビデオカメラ、スチールカメラなどの撮像装置あるいはプロジェクタその他の投影装置に内蔵され、撮影光量、投映光量などの光量を調整する光量調整装置に関する。
【背景技術】
【０００２】
一般に、この種の光量調整装置は、図１２に示すように、撮影（投影）光路に対応した光路開口２を有するリング状の開閉駆動プレート７を有し、この開閉駆動プレート７に光量調整用の複数の絞り羽根５からなる絞り羽根群６を開閉可能に配置することで、全開放（ａ）、半絞り（ｂ）、最小絞り（ｃ）からなる一連の絞り操作を行っている。
【０００３】
例えば、特許文献１には、開閉駆動用のプレートに設けられる光路開口の周囲に多数枚の絞り羽根を配置し、光路の口径を小径から大径まで相似形で開閉する虹彩絞り方式を採用した光量調整装置が開示されている。このような光量調整装置は、多数枚の絞り羽根で円形状に近い口径で多段階に光量調整するものとなっている。
【０００４】
上記文献には、中央に光路開口を有する上下一対のリング状基板の間に、多数の絞り羽根を光路開口の周囲に鱗状に配置し、この多数の絞り羽根を基板の一方に設けた駆動ユニットで開閉する開閉機構が備わっている。
【０００５】
また、特許文献２には、文献１と同様にリング形状に形成した一対のプレート間に複数の絞り羽根からなる絞り羽根群を配置し、前記プレートの一方に設けた駆動ユニットで前記絞り羽根群を開閉動する装置が開示されている。
【先行技術文献】
【特許文献】
【０００６】
【特許文献１】特開２００９−０２０４３８号公報
【特許文献２】特開２００６−３２２９７９号公報
【発明の概要】
【発明が解決しようとする課題】
【０００７】
図１２に示したように、前記複数の絞り羽根５は、互いに隣接する基端部の重なりが循環するような鱗状にして開閉駆動プレート７の円周方向に配列されている。すなわち、各絞り羽根５をずらしつつ順次上側に重ね、最後の絞り羽根の一部（端部）を最初の絞り羽根の下側に重なるように円周方向に配列している。このように配列された絞り羽根群６は、開閉駆動プレート７を有するベース部材８及びガイド部材３を介して所定方向に回動させることによって、図１２（ａ），（ｂ），（ｃ）のような各絞り状態を得ることができる。
【０００８】
上述したように、複数の絞り羽根５からなる絞り羽根群６は、ベース部材８上に摺動可能に配置されているリング状の開閉駆動プレート７と、カム溝が設けられているガイド部材３との間に挟み込まれた状態で、前記光路開口２を絞る方向と開放する方向とに向けて開閉可能となっている。なお、前記絞り羽根群６を構成する各絞り羽根５は、開閉動作を抵抗なくスムーズに行わせるために、軽量且つ薄型の樹脂フィルムを所定形状に型抜きして形成されている。
【０００９】
ところで、前記各絞り羽根５は、図１２（ａ）に示したように、光路開口２を開放する際に最も多く重なり合った状態となり、図１２（ｂ）に示したように、前記光路開口２を絞るにつれて各絞り羽根５の重なり合いが徐々に減少していく。一方、図１２（ｃ）に示したように、前記光路開口２を最小絞りする際には、各絞り羽根５の重なり合いが最も少なくなるが、その代り各絞り羽根５の先端部５ａのせり上がりが生じるため、絞り羽根群６を開閉可能に保持する摺動空間に余裕がなくなる。このため、前記絞り羽根群６を開閉駆動させるためのモータの負荷トルクにばらつきが生じる。図９は上記従来構造における絞り羽根群６を開閉駆動させるための負荷トルクと本発明の構造による負荷トルクとを比較したものである。この測定結果によると、従来構造では、絞り羽根群６の全開放から絞り始める間と、最小絞り状態に移行する手前において負荷トルクが大きくなると共にばらつきも生じる。一方、半絞り状態では低いトルク値で一定となる。このため、絞り羽根群６の一連の開閉動作が不安定となり、円滑な開閉駆動を行うことができなかった。
【００１０】
前記絞り羽根群６の摺動空間は、絞り羽根５の重なり枚数が多くなる光路開口２の開放側あるいは最小絞り側に合わせて設定されているため、特に、半絞り状態に移行する際に負荷トルク差による影響が出やすい。
【００１１】
このように、従来の光量調整装置にあっては、絞り羽根群を開閉可能に保持させるための摺動空間の間隔が固定であったため、前記絞り羽根群の開閉状態によって負荷トルクに差が生じ、絞りスピードや絞り開口の精度にばらつきを生じるといった問題があった。
【００１２】
そこで本発明は、光路開口の開放側と最小絞り側との間を一定の負荷トルクによって複数の絞り羽根を摺動させることによって、一連の絞り操作を円滑且つ精度よく行うことのできる光量調整装置を提供することを目的とする。
【課題を解決するための手段】
【００１３】
上記課題を解決するために、本発明の光量調整装置は、中央部に光路開口を有するリング形状のベース部材と、該ベース部材に対向して設けられるガイド部材と、前記ベース部材とガイド部材との間に設けられる摺動空間で互いに重なり合いながら円周方向に摺動し、前記光路開口を開閉する複数の絞り羽根とを備えた光量調整装置において、前記複数の絞り羽根の摺動に連動して、前記ベース部材とガイド部材との間の摺動空間の間隔を変更する間隔変更手段を設けたことを特徴とする。
【発明の効果】
【００１４】
本発明の光量調整装置によれば、光路開口を絞る際の複数の絞り羽根の摺動に連動して、ベース部材とガイド部材との間の摺動空間の間隔を絞り羽根の重なり合いに応じて適宜変更することができる。これによって、複数の絞り羽根の開閉動作に伴う負荷トルクを光路開口の開放側と最小絞り側との間で最小且つ一定にすることができ、全開放から最小絞りまでの一連の絞り操作を円滑且つ精度よく行うことができる。
【図面の簡単な説明】
【００１５】
【図１】本発明の第１実施形態の光量調整装置の分解斜視図である。
【図２】上記光量調整装置を開閉駆動プレートの内側面から見た分解斜視図である。
【図３】上記光量調整装置のベース部材側から見た斜視図である。
【図４】上記光量調整装置のガイド部材側から見た最小絞り状態における斜視図である。
【図５】上記光量調整装置のガイド部材側から見た全解放状態における斜視図である。
【図６】絞り羽根群を構成する一の絞り羽根の斜視図である。
【図７】複数の絞り羽根の摺動に連動して摺動空間の間隔が変更される状態を示す説明図である。
【図８】複数の絞り羽根による光路開口の各絞り状態を示す平面図である。
【図９】複数の絞り羽根の摺動に伴う負荷トルクを従来と本発明とで比較したグラフである。
【図１０】本発明の第２実施形態の光量調整装置の分解斜視図である。
【図１１】上記第２実施形態における複数の絞り羽根の摺動空間の間隔が変更される状態を示す説明図である。
【図１２】従来の光量調整装置における全開放（ａ），半絞り（ｂ），最小絞り（ｃ）の各状態における絞り羽根群の開閉状態を示す平面図及び断面図である。
【発明を実施するための形態】
【００１６】
以下、図面を参照して、本発明に係る光量調整装置の実施形態を詳細に説明する。図１及び図２は本発明に係る第１実施形態の光量調整装置１１の構成を示す分解図である。この光量調整装置１１は、光軸Ｏを中心とする光路開口１２を有するハウジング１３及び開閉ガイドプレート１４からなるガイド部材２０と、複数の絞り羽根１５からなる絞り羽根群１６と、この絞り羽根群１６を開閉駆動させる開閉駆動プレート１７と、この開閉駆動プレート１７が摺動可能に当接されるベース部材１８とを備えている。
【００１７】
図３は前記ベース部材１８側から見た光量調整装置１１の斜視図、図４及び図５は前記ガイド部材２０側から見た光量調整装置１１の斜視図である。ここで、図３及び図４は、前記絞り羽根群１６によって、光路開口１２を最小絞りした状態を示したものであり、図５は光路開口１２を全開放にしたときの状態を示したものである。この光量調整装置１１は、光路開口１２がガイド部材２０とベース部材１８との間に形成され、光路開口１２を前記開閉駆動プレート１７によって開閉駆動される絞り羽根群１６が互いに重なり合いながら開いたり、閉じたりすることで光量調整が行われる。後述するように、前記各絞り羽根１５は、開閉駆動プレート１７に回転支持される基端部から先端部に向けて所定の角度で傾斜保持される。また、図４に示したように、各絞り羽根１５の先端部１５ａがせり上がった状態で、順次重なり合いながら光路開口１２を円形状に開閉させている。
【００１８】
前記開閉駆動プレート１７は、ベース部材１８に取り付けられている駆動モータＭによって回転駆動を行う。そして、前記駆動モータＭの時計周り及び反時計周りによる正逆回転によって、開閉駆動プレート１７が所定の回転半径内で往復移動することで、上記複数の絞り羽根１５からなる絞り羽根群１６が開閉されて光路開口１２の絞り操作が行われる。
【００１９】
前記ハウジング１３は、搭載される撮像装置（図示せず）の鏡筒形状に応じた外形形状となっており、金属又は合成樹脂などによって、光量調整装置１１に適した材質、寸法に形成される。また、ハウジング１３には、開閉ガイドプレート１４に形成されている複数のスライドガイド孔１９に対応する長溝２１が複数形成されている。
【００２０】
前記開閉ガイドプレート１４は、薄い樹脂フィルムによって形成され、前記ハウジング１３内に組み込まれる。この開閉ガイドプレート１４は、前記ハウジング１３と共通の光路開口１２及び長溝２１に沿ったスライドガイド孔１９を有してリング形状に形成されている。
【００２１】
前記スライドガイド孔１９は、絞り羽根１５の枚数に応じて設けられている。このスライドガイド孔１９には、図６に示すように、絞り羽根１５の基端部１５ｂの一方に設けられている開閉作動ピン２３が係合する。この開閉作動ピン２３が前記スライドガイド孔１９に沿って移動することで、各絞り羽根の先端部１５ａが互いに重なり合いながら光路開口１２上を円形状に閉じたり、開いたりさせることができる。
【００２２】
また、前記基端部１５ｂの開閉作動ピン２３と反対側の面には、開閉駆動プレート１７に設けられている回転軸孔２５に係合する回転軸ピン２４が設けられている。この回転軸ピン２４は、前記回転軸孔２５を支点として回動することで、開閉作動ピン２３のスライドガイド孔１９に沿った移動動作にリンクさせることができる。
【００２３】
本実施形態における絞り羽根群１６は、９枚の絞り羽根１５によって構成され、この９枚の絞り羽根１５は、それぞれの基端部１５ｂが前記回転軸ピン２４を介して円形状に連結されている。このようにして連結された絞り羽根群１６は、各開閉作動ピン２３がそれぞれのスライドガイド孔１９に係合させた状態で、開閉ガイドプレート１４を介したハウジング１３に支持される。なお、前記絞り羽根群１６を構成する絞り羽根１５の枚数は多いほど円形に近い光路開口１２を得ることが可能となるため、９枚又は７枚構成が一般的であるが、光路開口１２の径や絞り精度に応じて任意の枚数で構成することができる。
【００２４】
図６に示したように、各絞り羽根１５は、例えば、ポリエチレン樹脂（ＰＥＴ）などの樹脂フィルムの型抜き成形によって形成されており、その基端部１５ｂ側に開閉作動ピン２３と回転軸ピン２４とが相対する方向に突出して設けられている。
【００２５】
図１及び図２に示したように、前記開閉駆動プレート１７は、樹脂モールド成形によってリング状に形成されており、中央部には共通の光路開口１２を有している。この開閉駆動プレート１７は、同じリング形状のベース部材１８に対して円周方向にスライド可能に取り付けられる。このため開閉駆動プレート１７には、図３に示したように、ベース部材１８の光路開口１２の内周縁沿って係合可能なフランジ２７が形成されている。このフランジ２７は、前記ベース部材１８の光路開口１２に弾性的に嵌合されることでスライド可能となっている。
【００２６】
また、前記開閉駆動プレート１７には、外周部の一部に受動歯２８が形成されている。この受動歯２８はベース部材１８に取付けられている駆動モータＭの回転ギア２９と噛合する位置に設けられている。そして、前記駆動モータＭを正転及び逆転させることで、開閉駆動プレート１７がベース部材１８に対して円周方向に時計周り又は反時計周りにスライドし、このスライドに伴って絞り羽根群１６が閉じ方向と開き方向との間で回動する。
【００２７】
前記絞り羽根群１６は、各絞り羽根１５の基端部１５ｂに設けられている回転軸ピン２４が挿入される前記開閉駆動プレート１７の複数の回転軸孔２５を支点として回動する。この回転軸孔２５は、各絞り羽根１５の枚数に対応して、前記開閉駆動プレート１７の円周方向に沿って均等に設けられている。
【００２８】
前記ベース部材１８は、前記開閉駆動プレート１７と同様に共通の光路開口１２を有したリング形状に樹脂モールドによって形成され、絞り羽根群１６や開閉駆動プレート１７を収めたハウジング１３の開放面を覆うことで光量調整装置１１の外観を形成している。本実施形態の絞り羽根群１６は、９枚の絞り羽根１５によって構成されているため、前記開閉駆動プレート１７を３０度乃至５０度の回転範囲内で回動させることによって、前記光路開口１２を全開放位置と最小絞り位置との間を往復するようにした開閉操作が可能となっている。
【００２９】
上記構成からなる光量調整装置１１において、光路開口１２を全開放する場合は、ハウジング１３内に各絞り羽根１５が折り畳まれるように収まり、図３及び図４に示したように、最小に絞り込む際には、各絞り羽根１５が鱗状に積み重ねられるように広がり、その先端部１５ａを互いに支え合う。
【００３０】
次に、本発明の特徴的な構成について説明する。本発明の光量調整装置１１では、図７に示すように、複数の絞り羽根１５が部分的に重なり合いながら開閉可能に保持される開閉駆動プレート１７と開閉ガイドプレート１４との間の摺動空間Ｓの間隔を変更する間隔変更手段を備えている。この間隔変更手段は、前記複数の絞り羽根１５の摺動に連動して、この複数の絞り羽根１５が円滑に開閉可能な摺動空間Ｓの間隔を変更するものであり、図１に示したように、ベース部材１８の内側面１８ａに円周方向に沿って設けられるカム面３３と、図２に示したように、前記開閉駆動プレート１７の内側面１７ａに前記カム面３３に当接する突起からなるカム受部３４とによって構成されている。前記カム受部３４は、開閉駆動プレート１７と一体的に形成されており、この開閉駆動プレート１７の回転に伴って、前記カム面３３上を摺動する。図７は前記カム面３３及びカム受部３４によって、複数の絞り羽根１５が摺動する摺動空間Ｓの間隔が変更される状態を示したものである。
【００３１】
複数のカム面３３は、図２に示したように、前記開閉駆動プレート１７の内側面１７ａに設けられている複数のカム受部３４が当接する範囲と対応しており、前記開閉駆動プレート１７の受動歯２８で規制される回動範囲に合わせて形成されている。前記受動歯２８で規制される開閉駆動プレート１７の回動範囲は、絞り羽根群１６による光路開口１２の全開放位置と最小絞り位置との往復距離に対応している。前記カム面３３及びカム受部３４は、絞り羽根群１６の回転バランスを保つため、ベース部材１８及び開閉駆動プレート１７のそれぞれの円周方向に対して少なくとも３か所あるいはそれ以上で、等間隔に設けるのが好ましい。以下、一組のカム面３３及びカム受部３４における構成及び動作について説明するが、他のカム面３３及びカム受部３４にも同様である。
【００３２】
図７に示したように、前記カム面３３は高低差を有して形成されており、平坦面Ａ，Ｃと、この平坦面Ａ，Ｃの中央に突出する凸状部Ｂとからなっている。凸状部Ｂは、平坦な頂上面Ｂ２と、この頂上面Ｂ２の左右両端から前記平坦面Ａ，Ｃに向かって斜めに延びる第１傾斜面Ｂ１及び第２傾斜面Ｂ３とで略台形状に形成されている。
【００３３】
本実施形態では、前記平坦面Ａ，Ｃの高さを均一に形成したが、絞り羽根群１６の開放側と最小絞り側とで摺動空間Ｓの間隔が若干異なるようであれば、それに応じて高さを設定することができる。また、前記平坦面Ａ，Ｃは必ずしも水平面である必要はなく、絞り羽根群１６の開放側及び最小絞り側から前記凸状部Ｂの第１傾斜面Ｂ１及び第２傾斜面Ｂ３の基端部に向けてなだらかに傾斜するようにしてもよい。
【００３４】
前記凸状部Ｂについては、絞り羽根群１６が全開放状態から半絞り状態に移行する際の各絞り羽根１５の重なり厚みで推移する開閉範囲に対応して前記第１傾斜面Ｂ１の傾斜角度や長さが設定され、絞り羽根群１６が半絞り状態から最小絞り状態に移行する際の各絞り羽根１５の重なり厚みで推移する開閉範囲に対応して前記第２傾斜面Ｂ３の傾斜角度や長さが設定される。また、前記頂上面Ｂ２は、半絞り区間を摺動する絞り羽根群１６の開閉範囲に対応している。図７に示したように、前記第１傾斜面Ｂ１と第２傾斜面Ｂ３とは必ずしも同一でなくてもよい。また、前記カム面３３は、絞り羽根群１６が全開放状態から半絞り状態、半絞り状態から最小絞り状態に移行する区間を優先して前記第１傾斜面Ｂ１及び第２傾斜面Ｂ３が設定されるため、それを除いた部分が前記頂上面Ｂ２の長さとなる。
【００３５】
前記絞り羽根群１６が摺動可能な開閉駆動プレート１７と開閉ガイドプレート１４との間の摺動空間Ｓの間隔は、絞り羽根群１６を構成する絞り羽根１５の枚数や開閉駆動プレート１７の厚み等に応じて設定される。このため、前記平坦面Ａ，Ｃについては前記絞り羽根群の構成枚数によって設定され、前記凸状部Ｂについては、絞り羽根群１６の開閉状態に応じて適宜設定される。
【００３６】
前記開閉駆動プレート１７は、カム受部３４が前記カム面３３の平坦面Ａに沿って通過する間は、絞り羽根群１６が摺動する摺動空間Ｓの間隔Ｓ１は一定であり、凸状部Ｂの第１傾斜部Ｂ１を登るに連れて摺動空間Ｓの間隔がＳ１からＳ２に向けて徐々に狭くなる。そして、凸状部Ｂの頂上面Ｂ２に到達すると、最も狭い間隔Ｓ２となり、しばらくその状態を維持する。また、前記頂上面Ｂ２から第２傾斜面Ｂ３に沿って下降するに連れて前記摺動空間Ｓの間隔はＳ２からＳ１に変更される。
【００３７】
前記カム面３３に沿って回動する開閉駆動プレート１７は、前記カム受部３４が一方の平坦面Ａと他方の平坦面Ｃとを往復する間に、前記絞り羽根群１６の開閉位置が前記光路開口１２の開放側から最小絞り側、また、最小絞り側から開放側へと変化する。
【００３８】
図８は、前記絞り羽根群１６による光路開口１２の一連の絞り動作を示したものである。この一連の動作によって、絞り羽根群１６の開閉状態はＰ１乃至Ｐ５となる。Ｐ１は、前記光路開口１２の全開放位置から絞り羽根群１６による絞り動作の開始前であり、ここでは絞り羽根１５が３枚程度重なる部分が存在する。このＰ１では、図７に示した平坦面Ａにカム受部３４が当接した状態であるため、摺動空間Ｓの間隔Ｓ１は当初の設計状態に広く確保される。
【００３９】
Ｐ２，Ｐ３は、前記Ｐ１から光路開口１２を半絞り状態に移行する際の動作であり、ここでは絞り羽根１５が２枚程度重なる部分が存在する。このＰ２，Ｐ３では、図７に示した平坦面Ａの終端から凸状部Ｂの第１傾斜面Ｂ１に沿ってカム受部３４が当接していくため、徐々に摺動空間Ｓの間隔が狭くなり、頂上面Ｂ２の一端に至ると絞り羽根が２枚程度重なりながら摺動するのに適した間隔Ｓ２が確保される。
【００４０】
Ｐ４，Ｐ５は、前記Ｐ３から最小絞り状態に移行する際の動作であり、この状態では絞り羽根１５の先端部分でのせり上がり現象に伴って３、４枚程度の重なり合いが生じる。このＰ４，Ｐ５では、図７に示した凸状部Ｂの第２傾斜面Ｂ３に沿ってカム受部３４が下降するに連れて摺動空間Ｓの間隔は当初の状態に徐々に広くなり、絞り羽根１５の先端がせり上がり現象によって３乃至４枚程度重なった状態でも摺動可能な摺動空間が確保される。
【００４１】
図９は前記絞り羽根群１６の開閉状態がＰ１〜Ｐ５までに変化する間のモータＭによる駆動トルクを示したものである。この結果によると、前記絞り羽根群１６が全開放状態から最小絞り状態に至るまで低い値で略一定となることが確認された。
【００４２】
図１０は第２実施形態の光量調整装置５１の構成を示す分解図である。この光量調整装置５１は、上記第１実施形態の光量調整装置１１からモータＭによる回転駆動手段（開閉駆動プレート）１７を除いた手動開閉式の構成となっており、光軸Ｏを中心とする光路開口５２を有するガイド部材５３と、複数の絞り羽根５５からなる絞り羽根群５６と、この絞り羽根群５６を回転支持するベース部材５８とを備えている。前記ガイド部材５３は、第１実施形態のハウジング１３及び開閉ガイドプレート１４に相当するものであり、絞り羽根５５の構成枚数に応じたスライドガイド孔５９が円周方向に沿って複数設けられている。このスライドガイド孔５９には、絞り羽根５５の基端部に設けられている開閉作動ピン６０が係合する。この開閉作動ピン６０が前記スライドガイド孔５９に沿って移動することで、各絞り羽根の先端部が互いに重なり合いながら光路開口１２上を円形状に開閉する。前記ベース部材５８は、第１実施形態のベース部材１８に相当するものであり、各絞り羽根５５の基端部に設けられている回転軸ピン（図示せず）が回転支持される回転軸孔が円周方向に沿って設けられている。
【００４３】
本実施形態の間隔変更手段は、前記ガイド部材５３の外側面５３ａに設けられるカム面６３と、前記ベース部材５８に設けられ、前記カム面６３に当接するＲ形状の突起６５を有するカム受部６４とによって構成されている。前記カム面６３は、ガイド部材５３の外周部に沿って３か所に等間隔に設けられ、図１１に示すように、中央部に凸状部Ｂ、この凸状部Ｂを挟んだ両側が平坦面Ａ，Ｃとなっている。前記カム受部６４の突起６５は、前記ベース部材５８の外周部から直交する方向に延び、前記ガイド部材５３に形成されているカム面６３を上方から押さえる位置に設けられている。
【００４４】
前記ベース部材５８を固定した状態で、前記ガイド部材５３の操作レバー６１を所定の回転角度に回動することによって、前記絞り羽根群５６が光路開口５２を全開放位置と最小絞り位置との間で開閉させることができる。その際、図１１（ａ），（ｃ）に示したように、絞り羽根５５の重なり枚数が多くなる全開放位置又は最小絞り位置にあっては、カム受部６４の突起６５がカム面６３の平坦面Ａ，Ｃに当接するため、絞り羽根群５６の摺動空間Ｓの間隔Ｓ１が広く確保される。また、図１１（ｂ）に示したように、絞り羽根５５の重なり枚数が少なくなる半絞り位置にあっては、カム受部６４がカム面６３の凸状部Ｂに沿って当接するため、絞り羽根群５６の摺動空間Ｓの間隔Ｓ２を狭くすることができる。なお、前記カム面６３及びこのカム面６３によって変更される絞り羽根群５６の摺動空間Ｓは、図７に示した第１実施形態の光量調整装置１１と同様であるので、説明は省略する。
【００４５】
以上説明したように、本発明の光量調整装置１１，５１では、光路開口の絞り操作における絞り羽根群の摺動に連動して摺動空間の間隔を適宜変更することができるので、絞り羽根群の開閉動作に関して過剰な負荷が掛かったり、がたついたりすることがない。このように、前記光路開口の全開放位置と最小絞り位置との間における絞り羽根群の摺動負荷を一定にすることができるので、カメラなどによる露光を精度よく行うことができる。また、絞り羽根群の開閉動作を保持するベース部材又はガイド部材のいずれか一方にカム面、他方にカム受部を設けるといった簡易な構成であるため、製造コストを低く抑えることができる。
【符号の説明】
【００４６】
Ａ，Ｃ  平坦面
Ｂ  凸状部
Ｂ１  第１傾斜面
Ｂ２  頂上面
Ｂ３  第２傾斜面
Ｏ  光軸
Ｓ  摺動空間
Ｓ１，Ｓ２  間隔
２  光路開口
３  ガイド部材
５  絞り羽根
５ａ  先端部
６  絞り羽根群
７  開閉駆動プレート
８  ベース部材
１１  光量調整装置
１２  光路開口
１３  ハウジング
１４  開閉ガイドプレート
１５  絞り羽根
１５ａ  先端部
１５ｂ  基端部
１６  絞り羽根群
１７  開閉駆動プレート
１７ａ  内側面
１８  ベース部材
１８ａ  内側面
１９  スライドガイド孔
２０  ガイド部材
２１  長溝
２３  開閉作動ピン
２４  回転軸ピン
２５  回転軸孔
２７  フランジ
２８  受動歯
２９  回転ギア
３３  カム面
３４  カム受部
５１  光量調整装置
５２  光路開口
５３  ガイド部材
５３ａ  外側面
５５  絞り羽根
５６  絞り羽根群
５８  ベース部材
５９  スライドガイド孔
６０  開閉作動ピン
６１  操作レバー
６３  カム面
６４  カム受部
６５  突起
【図１】
2017120347.tif 000003
【図２】
2017120347.tif 000004
【図３】
2017120347.tif 000005
【図４】
2017120347.tif 000006
【図５】
2017120347.tif 000007
【図６】
2017120347.tif 000008
【図７】
2017120347.tif 000009
【図８】
2017120347.tif 000010
【図９】
2017120347.tif 000011
【図１０】
2017120347.tif 000012
【図１１】
2017120347.tif 000013
【図１２】
2017120347.tif 000014